(57)【要約】【課題】本発明は、着脱に便利であるファン固定装置を提供することを目的とする。【解決手段】本発明に係るファン固定装置は、シャーシ、固定ブラケット、及び２つの弾性部材を備える。固定ブラケットを、２つの突起及び２つのフックに向かって移動させると、２つの突起及び２つのフックが、２つの第一切欠口及び２つの第二切欠口から２つの第一スロット及び２つの第二スロットにそれぞれ進入すると共に、２つのフックの推進によって弾性部材の下端部は変形し、弾性部材が復帰すると、前記２つのフックは弾性部材の結合孔から突出する。【選択図】図１
2013187550.tif 000002
【特許請求の範囲】
【請求項１】
シャーシ、固定ブラケット及び２つの弾性部材を備えるファン固定装置において、
前記シャーシは、対向する２つの側板を有し、各側板には、突起及びフックがそれぞれ突設されており、前記固定ブラケットは、ファンを固定するための板体及び前記板体の両端に形成されている２つの端壁を備え、各端壁には、第一スロット及び第二スロットが互いに間隔をあけて、下方に延伸して設けられ、前記第一スロットの下端及び前記第二スロットの下端には、第一切欠口及び第二切欠口が同じ方向に延在してそれぞれ設けられ、前記２つの弾性部材は、前記２つの端壁の内側にそれぞれ固定され、且つ前記２つの弾性部材には、対応する端壁の前記第二スロットに合わせられる結合孔がそれぞれ設けられており、前記固定ブラケットを、前記２つの突起及び前記２つのフックに向かって移動させると、前記２つの突起及び前記２つのフックが、前記２つの第一切欠口及び前記２つの第二切欠口から前記２つの第一スロット及び前記２つの第二スロットにそれぞれ進入すると共に、前記２つのフックの推進によって前記弾性部材の下端部が変形され、前記弾性部材が復帰されると、前記フックは前記弾性部材の結合孔から突出されることを特徴とするファン固定装置。
【請求項２】
各突起は、対応する前記側板から垂直に設置され、且つ柱部及び前記柱部の末端に設置され、前記柱部の直径より大きい頭部を備え、前記柱部が対応する前記第一切欠口から前記第一スロットに進入し、前記頭部が前記端壁の前記第一スロットの両側部分に当接されることによって、前記突起は前記固定ブラケットに係合されることを特徴とする請求項１に記載のファン固定装置。
【請求項３】
各フックは、対応する前記側板から垂直に設置され、且つ対応する前記第二切欠口から前記第二スロットに進入される柱部及び前記柱部の末端から上方へ湾曲し、且つ対応する結合孔から突出される鈎部を備えることを特徴とする請求項１又は２に記載のファン固定装置。
【請求項４】
各鈎部の、対応する前記側板から離れている側には、上方に、且つ前記側板に向けて傾斜し、且つ弾性部材を推進する斜面が形成されていることを特徴とする請求項３に記載のファン固定装置。
【請求項５】
各弾性部材の下端には、この下端から、下方に傾斜して延伸するガイド部が形成されていることを特徴とする請求項１から４のいずれか一項に記載のファン固定装置。
【発明の詳細な説明】
【技術分野】
【０００１】
本発明は、ファン固定装置に関するものである。
【背景技術】
【０００２】
電子装置のシャーシ内には、一般的に複数のファン又はファンモジュールを固定するためのファン固定機構が設置されている。
【０００３】
しかし、従来のファン固定機構は、リベット又はネジによってシャーシに設置されるため、ファン固定機構の着脱に不便である。
【発明の概要】
【発明が解決しようとする課題】
【０００４】
以上の問題点に鑑みて、本発明は、着脱に便利であるファン固定装置を提供することを目的とする。
【課題を解決するための手段】
【０００５】
前記課題を解決するために、本発明に係るファン固定装置は、シャーシ、固定ブラケット、及び２つの弾性部材を備える。前記シャーシは、対向する２つの側板を有し、各側板には、突起及びフックがそれぞれ突設されており、前記固定ブラケットは、ファンを固定するための板体及び前記板体の両端に形成されている２つの端壁を備え、各端壁には、第一スロット及び第二スロットが互いに間隔をあけて、下方に延伸して設けられ、前記第一スロットの下端及び前記第二スロットの下端には、第一切欠口及び第二切欠口が同じ方向に延在してそれぞれ設けられ、前記２つの弾性部材は、前記２つの端壁の内側にそれぞれ固定され、且つ前記２つの弾性部材には、対応する端壁の前記第二スロットに合わせられる結合孔がそれぞれ設けられており、前記固定ブラケットを、前記２つの突起及び前記２つのフックに向かって移動させると、前記２つの突起及び前記２つのフックが、前記２つの第一切欠口及び前記２つの第二切欠口から前記２つの第一スロット及び前記２つの第二スロットにそれぞれ進入すると共に、前記２つのフックの推進によって前記弾性部材の下端部が変形され、前記弾性部材が復帰されると、前記フックは前記弾性部材の結合孔から突出される。
【発明の効果】
【０００６】
本発明に係るファン固定装置は、固定ブラケットを移動させることで、シャーシの突起を固定ブラケットの対応する第一スロットに係合させ、シャーシのフックを固定ブラケットの対応する第二スロット及び弾性部材に係合させて、固定ブラケットをシャーシに固定する。弾性部材の下端部を端壁の内側へ引いて、２つのフックを弾性部材の結合孔から離脱させた後、固定ブラケットを移動して、固定ブラケットをシャーシから取り外すため、固定ブラケットの着脱が簡単であり、便利である。
【図面の簡単な説明】
【０００７】
【図１】本発明に係るファン固定装置と複数のファンとの組立図である。
【図２】図１に示したファン固定装置の分解図である。
【図３】図１に示したファン固定装置の組み立て過程を示す図である。
【発明を実施するための形態】
【０００８】
以下、図面に基づいて、本発明に係るファン固定装置について詳細に説明する。
【０００９】
図１及び図２を参照すると、本発明に係るファン固定装置は、シャーシ２０、複数のファン１０の一端をそれぞれ固定するための固定ブラケット３０、及び２つの弾性部材４０を備える。
【００１０】
各ファン１０の一端の両側には、その頂部からファン１０の長手方向にやや延伸した後、さらに下方に延伸する（即ち、逆Ｌ形）２つのラッチ１２が形成されている。
【００１１】
シャーシ２０は、底板２１及び該底板２１の両側から垂直にそれぞれ延伸する２つの側板２３を備える。各側板２３の内側の頂部には、突起２５が突設されており、この突起２５の下方には、フック２７が突設されている。各突起２５は、対応する側板２３に垂直に設置され、且つ柱部２５１及び該柱部２５１の末端に設置され、その直径が柱部２５１の直径より大きい頭部２５３を備える。各フック２７は、対応する側板２３から垂直に設置された柱部２７１及び該柱部２７１の末端から上方へ湾曲する鈎部２７３を備える。各鈎部２７３の、対応する側板２３から離れている側には、上方に、且つ該側板２３に向けて傾斜する斜面２７４が形成されている。
【００１２】
固定ブラケット３０は、矩形の板体３１、該板体３１の１つの側縁から垂直に延伸する頂壁３３、及び板体３１の長手方向両端から、頂壁３３と同じ方向に垂直にそれぞれ延伸する２つの端壁３５を備える。板体３１には、長手方向に沿って複数の通風口３１２が間隔をあけて設置されている。頂壁３３の板体３１に隣接する箇所には、複数の係合孔３３２が設けられており、この係合孔３３２は、各２つずつ各通風口３１２の両側の上方に位置する。各端壁３５の頂部に隣接する箇所には、第一スロット３５１が下方に延伸して設けられており、該第一スロット３５１の下端には、板体３１から離れる方向に延伸する第一切欠口３５２が設けられている。各端壁３５の、第一スロット３５１の下方には、更に、第二スロット３５３が下方に延伸して設けられており、該第二スロット３５３の下端には、板体３１から離れる方向に延伸する第二切欠口３５４が設けられている。
【００１３】
各弾性部材４０は、主体部４１及び該主体部４１の下端から、下方に傾斜して延伸するガイド部４３を備える。主体部４１には、ガイド部４３に隣接する箇所に結合孔４１２が設けられている。
【００１４】
図３を参照すると、ファン固定装置を組み立てる場合、先ず、２つの弾性部材４０を、２つの端壁３５の内側にそれぞれ装着する。この時、各弾性部材４０の上端は、リベットによって対応する端壁３５の第一スロット３５１と第二スロット３５３との間に固定され、各弾性部材４０の主体部４１は、対応する端壁３５の内側に貼り付けられ、２つのガイド部４３は対向し、各結合孔４１２は、対応する端壁３５の第二スロット３５３に位置合わせされ、各ガイド部４３は、対応する第二スロット３５３と第二切欠口３５４との交差する箇所に位置合わせされる。
【００１５】
次に、固定ブラケット３０を、シャーシ２０内に設置する。先ず、２つの端壁３５を、シャーシ２０の側板２３にそれぞれ貼設し、２つの突起２５を、２つの第一切欠口３５２にそれぞれ位置合わせし、２つのフック２７を、２つの第二切欠口３５４に位置合わせする。次に、固定ブラケット３０を、２つの突起２５及び２つのフック２７に向けて移動させて、該２つの突起２５の柱部２５１及び２つのフック２７の柱部２７１を、それぞれ２つの第一切欠口３５２及び２つの第二切欠口３５４から、２つの第一スロット３５１及び２つの第二スロット３５３に進入させる。この時、２つの突起２５の頭部２５３及び２つのフック２７の鈎部２７３は、２つの第一スロット３５１及び２つの第二スロット３５３にそれぞれ係合される。
【００１６】
また、固定ブラケット３０の移動過程において、２つのフック２７の鈎部２７３の斜面２７４は、弾性部材４０のガイド部４３を推進する状態でスライドする。従って、該弾性部材４０の下端部は変形し、引き続き固定ブラケット３０を移動させると、２つの突起２５の柱部２５１及び２つのフック２７の柱部２７１は、２つの第一スロット３５１の頂縁及び２つの第二スロット３５３の頂縁にそれぞれ当接される。この時、２つのフック２７の鈎部２７３は、２つの弾性部材４０の結合孔４１２に合わせられ、弾性部材４０の下端部は弾性力によって復帰して、フック２７の鈎部２７３は、弾性部材４０の結合孔４１２から突出して、固定ブラケット３０がシャーシ２０から離脱することを防止する。以上により、固定ブラケット３０は、シャーシ２０に固定される。
【００１７】
ファン１０を装着する場合、ファン１０の一端が固定ブラケット３０の通風口３１２に対向するように、ファン１０の２つのラッチ１２を、通風口３１２の上方の両側に設けられた２つの係合孔３３２にそれぞれ係合させて、ファン１０の一端を固定ブラケット３０に固定する。また、ユーザーは、他の固定構造５０によって、ファン１０の他端をシャーシ２０に固定させることができる。
【００１８】
固定ブラケット３０を取り外す場合、先ず、弾性部材４０の下端部を端壁の内側へ引いて、２つの鈎部２７３を弾性部材４０の結合孔４１２から離脱させる。次いで、固定ブラケット３０を上方へ移動させて、２つの突起２５及び２つのフック２７をそれぞれ対応する第一スロット３５１及び第二スロット３５３から退出させた後、該固定ブラケット３０を側方へ移動させて、２つの突起２５及び２つのフック２７をそれぞれ対応する第一切欠口３５２及び第二切欠口３５４から退出させる。
【００１９】
他の実施形態において、ファン１０は、他の周知の装着方法によって、固定ブラケット３０に固定することができる。
【００２０】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００２１】
１０  ファン
１２  ラッチ
２０  シャーシ
２１  底板
２３  側板
２５  突起
２５１、２７１  柱部
２５３  頭部
２７  フック
２７３  鈎部
２７４  斜面
３０  固定ブラケット
３１  板体
３１２  通風口
３３  頂壁
３３２  係合孔
３５  端壁
３５１  第一スロット
３５２  第一切欠口
３５３  第二スロット
３５４  第二切欠口
４０  弾性部材
４１  主体部
４１２  結合孔
４３  ガイド部
５０  固定構造
【図１】
2013187550.tif 000003
【図２】
2013187550.tif 000004
【図３】
2013187550.tif 000005